(57)【要約】【課題】  電源線と信号線とを分離して配線することでノイズの発生を防止することができるとともに、電源線や信号線に異物が引っ掛かる不具合を防止することができる遊技機を提供する。【解決手段】  前枠体２１と、その前枠体２１の略中央部に設けられかつ遊技盤１４０が着脱可能に装着される遊技盤装着枠１１０と、遊技盤装着枠１１０の後側に設けられた機構装着体１９０とを備えた遊技機であって、機構装着体１９０に電源線２４０と信号線２５０とがそれぞれ配線されている。【選択図】        図１７
2005296628.tif 000002
【特許請求の範囲】
【請求項１】
前枠体と、その前枠体の略中央部に設けられかつ遊技盤が着脱可能に装着される遊技盤装着枠と、前記遊技盤装着枠の後側に設けられた機構装着体とを備えた遊技機であって、
前記機構装着体に電源線と信号線とがそれぞれ配線されていることを特徴とする遊技機。
【発明の詳細な説明】
【技術分野】
【０００１】
この発明は、遊技機に関し、例えば、球（パチンコ球）を用いて遊技を行う遊技機に関する。
【背景技術】
【０００２】
遊技機、例えば、パチンコ機において、外枠の前側に開閉可能に装着される前枠体（前面枠と呼ばれこともある）と、その前枠体の略中央部に設けられかつ遊技盤が着脱可能に装着される遊技盤装着枠と、遊技盤装着枠の後側に設けられた機構装着体（裏機構盤、裏セット板等とも呼ばれる）とを備えているのが一般的である。
また、この種の遊技機において、電源線と信号線とがそれぞれ配線されている。例えば、外部電源が供給される分電基板から電源基板に電源を供給する電源線と、払出制御基板からの信号を外部端子基板に伝達するための信号線とがそれぞれ配線されている。
また、このような電源線と信号線とを束ねて配線すると、電源線から発生する電磁波等により信号線が影響され、信号線に伝達される信号が乱れる、すなわちノイズが発生する。
このような不具合を防止するため、遊技盤の後側と機構装着体との間の空間部に電源線を配線し、機構装着体の後側に各種の信号線を露出状態で配線することで、電源線と信号線とを離間させて配線したものが知られている（例えば、特許文献１参照）。
【特許文献１】特開２００２ー２８３５０号公報
【発明の開示】
【発明が解決しようとする課題】
【０００３】
ところで、前記従来のものにおいては、機構装着体の後側に各種の信号線を露出状態で配線されるため、その信号線に異物が引っ掛かって、信号線が断線されたり、あるいは信号線の端末コネクタが不測に外れるという問題点があった。
【０００４】
この発明の目的は、前記問題点に鑑み、電源線と信号線とを分離して配線することでノイズの発生を防止することができるとともに、電源線や信号線に異物が引っ掛かる不具合を防止することができる遊技機を提供することである。
【課題を解決するための手段】
【０００５】
前記目的を達成するために、請求項１の発明に係る遊技機は、
「前枠体と、その前枠体の略中央部に設けられかつ遊技盤が着脱可能に装着される遊技盤装着枠と、前記遊技盤装着枠の後側に設けられた機構装着体とを備えた遊技機であって、
前記遊技盤装着枠に装着された遊技盤の後側周辺部のうちの少なくとも左右両側部と前記機構装着体の前壁部との間には、第１、第２の配線空間が左右に分離して設けられ、
前記第１配線空間には電源線が配線され、
前記第２配線空間には信号線が配線されていることを特徴とする遊技機。」を要旨とするものである。
【０００６】
前記構成において、遊技盤の後側周辺部のうちの少なくとも左右両側部と前記機構装着体の前壁部との間に設けられた第１配線空間に電源線が配線され、２配線空間に信号線が配線されることで、電源線と信号線とを左右に分離して配線することができ、ノイズの発生を防止することができる。
しかも、第１、第２の配線空間に電源線と信号線とが配線されることで、電源線及び信号線が遊技機の後側に露出する部分を、第１、第２の配線空間に相当する分だけ短くすることができ、電源線や信号線に異物が引っ掛かる不具合を防止することができる。
【０００７】
請求項２の発明に係る遊技機は、
「請求項１に記載の遊技機であって、
機構装着体の前壁部には、第１、第２の配線空間内に電源線と信号線とをそれぞれ配線保持するための複数の保持片が一体に形成されていることを特徴とする遊技機。」を要旨とするものである。
【０００８】
したがって、機構装着体の前壁部に一体に形成された複数の保持片によって電源線と信号線とを第１、第２の配線空間内にそれぞれ配線保持することができる。これによって、遊技盤装着枠に対し遊技盤を着脱する際に、遊技盤の後側に突出して配置された装備品（例えば、役物装置、制御基板ボックス等）が電源線や信号線に引っ掛かる不具合を防止することができる。
【０００９】
請求項３の発明に係る遊技機は、
「請求項１又は２に記載の遊技機であって、
遊技機の後側上部には外部端子板が設けられる一方、遊技機の後側下部には払出制御基板が設けられ、
前記外部端子板と前記払出制御基板との距離寸法に対応する長さ寸法をもって第２配線空間が設けられ、その第２配線空間に、前記外部端子板と前記払出制御基板とを電気的に接続する信号線が配線されていることを特徴とする遊技機。」を要旨とするものである。
【００１０】
したがって、遊技機の後側の上下部に離れた状態で配置された外部端子板と払出制御基板との距離に対応する長さ寸法をもつ第２配線空間に信号線を配線して外部端子板と払出制御基板とを電気的に接続することができる。このため、信号線が遊技機の後側に露出する部分を可及的に短くすることができ、信号線の露出部分に異物が引っ掛かる不具合をより一層良好に防止することができる。
【００１１】
請求項４の発明に係る遊技機は、
「請求項１〜３のいずれか一項に記載の遊技機であって、
遊技機の後側上部には分電基板が設けられる一方、遊技機の後側下部には電源基板が設けられ、
前記分電基板と前記電源基板との距離寸法に対応する長さ寸法をもって第１配線空間が設けられ、その第１配線空間に、前記分電基板と前記電源基板とを電気的に接続する電源線が配線されていることを特徴とする遊技機。」を要旨とするものである。
【００１２】
したがって、遊技機の後側上下部に離れた状態で配置された分電基板と電源基板との距離に対応する上下寸法をもつ第１配線空間に電源線を配線して分電基板と電源基板とを電気的に接続することができる。このため、電源線が遊技機の後側に露出する部分を可及的に短くすることができ、電源線の露出部分に異物が引っ掛かる不具合をより一層良好に防止することができる。
【発明の効果】
【００１３】
この発明によれば、遊技盤の後側周辺部のうちの少なくとも左右両側部と前記機構装着体の前壁部との間に第１、第２の配線空間を設けて電源線と信号線とを左右に分離して配線することができるため、ノイズの発生を防止することができる。
しかも、電源線及び信号線が遊技機の後側に露出する部分を、第１、第２の配線空間に相当する分だけ短くすることができ、電源線や信号線に異物が引っ掛かる不具合を防止することができる。
【発明を実施するための最良の形態】
【００１４】
次に、この発明を実施するための最良の形態を実施例にしたがって説明する。
【実施例】
【００１５】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠に各種部材が組み付けられた状態を斜め左下方から示す斜視図である。図５は遊技機の本体枠と遊技盤とを分離して示す斜視図である。なお、説明の便宜上、遊技機において遊技者側を前、反対側を後として説明する。
【００１６】
［遊技機の概要について］
図１〜図３に示すように、遊技機としてのパチンコ機は、外枠１０、本体枠２０、ガラス扉９０、遊技盤１４０等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００１７】
［本体枠について］
図１と図５に示すように、本体枠２０は、前枠体２１、遊技盤装着枠１１０及び機構装着体１９０を合成樹脂材によって一体成形することで構成されている。
本体枠２０の前側に形成された前枠体２１は、外枠１０の前側の下受板１５を除く外郭形状に対応する大きさの矩形枠状に形成されている。前枠体２１の中央部には遊技盤装着枠１１０が形成され、その遊技盤装着枠１１０の後側に機構装着体１９０が形成されている。
【００１８】
［本体枠のスピーカボックス部について］
図５と図６に示すように、前枠体２１の前側において、遊技盤装着枠１１０よりも下方に位置する前枠体２１の前下部領域の一側（図５では左側）寄りには、スピーカボックス部３０が一体に形成され、そのスピーカボックス部３０の前側開口部には、同開口部を塞ぐようにしてスピーカ装着部材（スピーカカバー）３５がビス等３８によって装着されている。このスピーカ装着部材３５は、多数のスリット状の貫通孔が貫設された前面板と、その前面板の後側周縁部に沿って後方に向けて突設された周壁部と、を備えて後方に開口する箱形状に形成され、そのスピーカ装着部材３５の前面板の内面にはスピーカ（コーン型スピーカ）３６がその前面フランジ３７においてビス３９等によって装着されている。
また、図６と図７に示すように、スピーカボックス部３０は、前側が大きく後側に向けてしだいに小さくなった複数段の段差箱形状をなし、図９に示すように、スピーカボックス部３０の後壁４０とスピーカ３６の前面フランジ３７との間には音響室３１が形成されている。
また、図６と図９に示すように、スピーカボックス部３０の内壁面の一側部にはダクト部材３４が装着され、これによって前端が前枠体２１の前方に開口し後端部が音響室３１に連通する音響通路３３が形成されている。
【００１９】
［スピーカボックス部の後壁のコネクタ接続について］
図７図８に示すように、スピーカボックス部３０の後壁４０の外面（後側）には、凹部４１が形成され、その凹部４１の底部４２にはスピーカ３６に対する配線用孔４３が貫設されている。そして、図９に示すように、スピーカ３６から延出されたスピーカ接続線４５の端末コネクタ５０が配線用孔４３を塞ぐようにして同配線用孔４３に弾性的に係合して取り付けられている。
図１０〜図１２に示すように、スピーカ接続線４５の端末コネクタ５０は、そのコネクタ本体５１の上下の両外側面には、配線用孔４３の上下両縁において底部４２の内面に当接する当接片５２と、底部４２の外面に弾性的に係合する弾性係合部５３とが形成されている。そして、図１０に示すように、端末コネクタ５０が底部４２の内面側（音響室３１側）から配線用孔４３に押し込まれることで、底部４２の内外両面が当接片５２と弾性係合部５３との間に狭持され、これによって、配線用孔４３を塞ぐようにして端末コネクタ５０が止着されるようになっている。
【００２０】
また、図１０〜図１２に示すように、スピーカ接続線４５の端末コネクタ５０には、後述する副制御基板１６６に一端が接続された電源線５９の他端の端末コネクタ６０が差し込まれて電気的に接続される。この際、配線用孔４３に対する弾性係合部５３の係合力によって、配線用孔４３にスピーカ接続線４５の端末コネクタ５０が係合保持されるため、同端末コネクタ５０が音響室３１側に外れることが防止されている。
【００２１】
前記したように、この実施例において、スピーカ接続線４５の端末コネクタ５０のコネクタ本体５１と、電源線５９の端末コネクタ６０のコネクタ本体６１との相互には、端末コネクタ６０の差し込み動作によって弾性的に係合する雄形・雌形の抜け止め用係合部５５、６５がそれぞれ形成され、これら抜け止め用係合部５５、６５の係合力によって、スピーカ接続線４５の端末コネクタ５０から電源線５９の端末コネクタ６０が不測に外れることが防止されるようになっている。
また、配線用孔４３を両端末コネクタ５０、６０によって塞ぐことができるため、音響室３１側の音が漏れて音質低下をまねくという不具合を防止することができる。
【００２２】
また、この実施例において、図１０と図１１に示すように、スピーカボックス部３０の
後壁４０に形成された凹部４１の深さ寸法Ｈは、両端末コネクタ５０、６０が接続された
状態で電源線５９側の端末コネクタ６０が凹部４１の開口から後方に突出されることがな
い程度に設定されている。
これによって、両端末コネクタ５０、６０に対し異物が当たって外れたり、あるいは損
傷されることが防止される。
【００２３】
［本体枠の前枠体の前側下部の装備品について］
図１と図５に示すように、前枠体２１前面の下部領域内の上側部分には遊技盤１４０の発射通路に向けて球を導く発射レール２２が傾斜状に装着され、その発射レール２２の側方において本体枠２０の前側から操作可能な電源スイッチＳ１が配置されている。
前枠体２１前面の下部領域内の下側部分には、下部前面板２３が装着されている。下部前面板２３の前面の略中央部には、下皿２４が設けられ、片側寄りには操作ハンドル２５が設けられている（図１参照）。
【００２４】
［本体枠の前枠体の後側下部の装備品について］
図３と図４に示すように、前枠体２１の後側において、遊技盤装着枠１１０よりも下方に位置する前枠体２１の後下部領域の片側（図４に向かって左側）には、発射レール２２の下傾端部の発射位置に送られた球を発射するための発射ハンマー７３、その発射ハンマー７３を作動する発射モータ７２等が取付基板７１に組み付けられてユニット化された発射装置ユニット７０が装着されている。
【００２５】
また、図４に示すように、前枠体２１の後下部領域の略中央部には、電源基板８１を有する電源基板ボックス８０が装着され、その電源基板ボックス８０後側に重ね合わされた状態で払出制御基板８６を有する払出制御基板ボックス８５が前後に装着されている。
また、図３と図４に示すように、前枠体２１の後下部領域の他側寄り部分（ヒンジ寄り部分）において、そのスピーカボックス部３０の後段差部の凹み部分に装着された下皿用球誘導ケースの後側に位置してインタフェース基板２３１を収納しているインタフェース基板ボックス２３０が装着されている。
【００２６】
［施錠装置について］
図１と図２に示すように、前枠体２１のヒンジ機構と反対側に自由端側の後側には、外枠１０に対し本体枠２０を施錠する機能と、本体枠２０に対しガラス扉９０を施錠する機能とを兼ね備えた施錠装置１００が装着されている。
すなわち、施錠装置１００は、外枠１０に設けられた閉止具１７に係脱可能に係合して本体枠２０を閉じ状態に施錠する上下複数の本体枠施錠フック１０１と、ガラス扉９０の自由端側の後側に設けられた閉止具９４に係脱可能に係合してガラス扉９０を閉じ状態に施錠する上下複数の扉施錠フック１０２が前方に向けて突出されている。これら扉施錠フック１０２は、前枠体２１の自由端寄り部分に貫設された貫通孔に挿通されてガラス扉９０後側の閉止具９４に係脱可能に臨んでいる。
【００２７】
また、施錠装置１００はシリンダー錠１０３を備え、そのシリンダー錠１０３の前端部は、遊技機の前方から鍵を挿入されて解錠操作可能に、前枠体２１及び下部前面板２３を貫通してその下部前面板２３の前面に露出されている（図２参照）。
そして、シリンダー錠１０３の鍵穴に鍵が挿入されて一方向に回動操作されることで本体枠施錠フック１０１と外枠１０の閉止具１７との係合が外れて本体枠２０が解錠され、これとは逆方向に回動操作されることで、扉施錠フック１０２とガラス扉９０の閉止具９４との係合が外れてガラス扉９０が解錠されるようになっている。
【００２８】
［ガラス扉について］
図１と図２に示すように、前枠体２１の前面の片側には、その前枠体２１の上端から下部前面板４４の上縁にわたる部分を覆うようにしてガラス扉９０が扉開閉用ヒンジ機構８９によって前方に開閉可能に装着されている。ガラス扉９０のヒンジ機構８９と反対側に自由端側の後側には、施錠装置１００の扉施錠フック１０２に係脱可能に係合してガラス扉９０を閉じ状態に施錠する閉止具９４が設けられている。
また、ガラス扉９０の略中央部には、後述する遊技盤１４０の遊技領域１４４を前方から透視可能な略円形の開口窓９１が形成されている。また、ガラス扉９０の後側には開口窓９１よりも大きな矩形枠状をなす窓枠９２が設けられ、その窓枠９２にはガラス板、透明樹脂板等の透明板９３が装着されている。
また、ガラス扉９０の前面の略全体は、ランプ等が内設された前面装飾部材９５によって装飾され、同ガラス扉９０の前面の下部には上皿９６が形成されている（図２参照）。
【００２９】
［本体枠の遊技盤装着枠及び遊技盤について］
図１と図５に示すように、本体枠２０の遊技盤装着枠１１０は、前枠体２１の中央部後側に設けられかつ遊技盤１４０が前方から着脱交換可能に嵌込まれて装着されるようになっている。
すなわち、この実施例において、遊技盤装着枠１１０の奥側（後側）の枠部内周には遊技盤１４０の後側の周縁部を受け止める後面受け部１１１が形成されている。
また、遊技盤装着枠１１０の一側内壁面の上下部２箇所には、後面受け部１１１との間に遊技盤１４０の一側部が差し込み可能な間隔を隔てて前面押え部１１２が形成されている。
【００３０】
図１と図５に示すように、遊技盤１４０は、遊技盤装着枠１１０の前方から嵌込まれる大きさの略四角板状に形成されている。遊技盤１４０の盤面（前面）には、外レールと内レールとを備えた案内レール１４１が設けられ、その案内レール１４１の内側に遊技領域１４４が区画形成されている。
また、遊技盤１４０の前面には、その案内レール１４１の外側領域において、合成樹脂製の前構成部材１４０ａが装着されている。
【００３１】
また、遊技盤１４０には、その遊技領域１４４内において、遊技に関する役物装置、例えば、センタ役物と呼ばれる役物装置１５０、入賞装置、風車器、誘導釘、ランプ装飾部材等の各種の装備品が配設されている。
また、役物装置１５０の役物本体１５１には、その略中央部に開口窓が形成され、役物本体１５１の後側には、その開口窓に臨んで図柄表示装置（例えば、液晶表示器、ＥＬ表示器，プラズマ表示器，ＣＲＴ等）１５５が装着されている。
また、図柄表示装置１５５の後側には、図柄制御基板１５６が収納された図柄基板ボックス１５７が装着されている。（図参照）。
【００３２】
また、図１に示すように、遊技盤１４０前面の前構成部材１４０ａの右側寄りの上下２箇所には、遊技盤装着枠１１０の係止部に対応する位置においてロック部材１５９がピンと左右方向の長孔によって回動操作可能に装着されている。
そして、遊技盤１４０（前構成部材１４０ａを含む）は、その左側部が遊技盤装着枠１１０の後面受け部１１１と前面押え部１１２との間に差し込まれ、ロック部材１５９の先端のロック部が遊技盤装着枠１１０の係止部に差し込まれて係合されることで遊技盤装着枠１１０に着脱可能に装着されるようになっている。
【００３３】
図５に示すように、遊技盤１４０の後側下部には、その中央部から下部にわたる部分において、各種入賞装置に流入した球を受けかつその球を所定位置まで導く集合樋としての機能とボックス装着部としての機能を兼ね備えたボックス装着台１６０が設けられている。このボックス装着台１６０の後側には、副制御基板１６６が収納された副制御基板ボックス１６５が装着され、その副制御基板ボックス１６５の後側に重ね合わされた状態で、主制御基板１６２が収納された主制御基板ボックス１６１が装着されている。
さらに、遊技盤１４０の後側に対しボックス装着台１６０、副制御基板ボックス１６５及び主制御基板ボックス１６１がそれぞれ装着された状態において、本体枠２０の遊技盤装着枠１１０の前方からその遊技盤装着枠１１０内に遊技盤１４０を嵌込んで装着できるように、遊技盤１４０の外郭より外側にはみ出すことなくボックス装着台１６０、副制御基板ボックス１６５及び主制御基板ボックス１６１が配置されている。
【００３４】
［本体枠と遊技盤のコネクタ接続について］
図５に示すように、本体枠２０の前側と、遊技盤１４０の後側との間には、本体枠２０の遊技盤装着枠１１０の前方からその遊技盤装着枠１１０内に遊技盤１４０を嵌込む動作によって、それぞれ差し込まれて接続される本体枠側第１、第２のコネクタ１２０、１３０と遊技盤側第１、第２のコネクタ１７０、１８０がそれぞれ配設されている。
この実施例において、本体枠２０の遊技盤装着枠１１０の後右側部近傍に、第１、第２のコネクタ１２０、１３０が左右に隣接して設置され、遊技盤１４０の後側下部に、遊技盤装着枠１１０の前方からその遊技盤装着枠１１０内に遊技盤１４０を嵌込む動作によって、本体枠側第１、第２のコネクタ１２０、１３０に挿脱可能に差し込まれる遊技盤側第１、第２のコネクタ１７０、１８０が左右に隣接して設置されている。
【００３５】
本体枠２０の第１コネクタ１２０と遊技盤１４０の第１コネクタ１７０は、本体枠２０側の払出制御基板８６と、遊技盤１４０側の主制御基板１６２とを電気的に接続するものである（図２２参照）。
図１４〜図１６に示すように、本体枠２０の第１コネクタ１２０の縦長箱形状をなすコネクタ本体１２１内には、各種の信号線に対応する複数の信号線用雄型端子１２２、電圧が異なる（例えば、３４Ｖ、１２Ｖ）電源線用雄型プラス端子１２３、電源線用雄型グランド端子１２４及び電源線用雄型プラス端子１２５、電源線用雄型グランド端子１２６がそれぞれ配置されている。
これに対し、遊技盤１４０の第１コネクタ１７０のコネクタ本体１７１は、本体枠２０の第１コネクタ１２０のコネクタ本体１２１の外側に嵌込まれる大きさの縦長箱形状に形成されている。そして、コネクタ本体１７１内には、各雄型端子に対応する複数の信号線用雌型端子１７２、電源線用雌型プラス端子１７３、電源線用雌型グランド端子１７４、電源線用雌型プラス端子１７５、電源線用雌型グランド端子１７６がそれぞれ配置されている。
【００３６】
本体枠２０の第２コネクタ１３０と遊技盤１４０の第２コネクタ１８０は本体枠２０側のスピーカ３６と遊技盤１４０側の副制御基板１６６と電気的に接続するものである（図２２参照）。
本体枠２０の第２コネクタ１３０には、縦長箱形状をなすコネクタ本体１３１内に各種の信号線に対応する複数の信号線用雄型端子（図示しない）、所定電圧（例えば、１２Ｖ）電源線用雄型プラス端子１３３、電源線用雄型グランド端子１３４がそれぞれ配置されている。
これに対し、本体枠２０の第２コネクタ１３０のコネクタ本体１３１の外側に嵌込まれる遊技盤１４０の第２コネクタ１８０のコネクタ本体１８１内には、各雄型端子に対応する複数の雌型信号線用端子（図示しない）、雌型電源線用プラス端子１８３、雌型電源線用グランド端子１８４がそれぞれ配置されている。
【００３７】
また、この実施例において、本体枠２０の遊技盤装着枠１１０の前方からその遊技盤装着枠１１０内に遊技盤１４０が嵌込まれ、これによって、本体枠側第１、第２のコネクタ１２０、１３０と遊技盤側第１、第２のコネクタ１７０、１８０とがそれぞれ差し込まれ
る際、まず、電源線用雄型グランド端子１２４、１２６、１３４が、電源線用雌型グランド端子１７４、１７６、１８４に接続され、その後、電源線用雄型プラス端子１２３、１２５、１３３が電源線用雌型プラス端子１７３、１７５、１８３に接続されるように、これら電源線用雄型グランド端子１２４、１２６、１３４、電源線用雌型グランド端子１７４、１７６、１８４、電源線用雄型プラス端子１２３、１２５、１３３及び電源線用雌型プラス端子１７３、１７５、１８３の端子長さが設定されている。
【００３８】
この実施例において、図１５に示すように、電源線用雄型グランド端子１２４（１２６、１３４）が、電源線用雄型プラス端子１２３（１２５、１３３）よりも適宜に長く形成されている。
また、電源線用雄型グランド端子１２４（１２６、１３４）と、電源線用雄型プラス端子１２３（１２５、１３３）との長さは略同じとし、電源線用雌型グランド端子１７４、１７６、１８４を電源線用雌型プラス端子１７３、１７５、１８３よりも適宜に長く形成してもよい。
【００３９】
前記したように、電源線用雄型グランド端子１２４（１２６、１３４）を電源線用雌型グランド端子１７４、１７６、１８４に先に接続するように構成することで、仮に、遊技機の電源がＯＮの状態で遊技盤１４０を脱着交換したとしても、各種回路基板上に配置された電子部品に対し設計経路とは異なる経路で電源電流が流れることが防止される。このため、回路基板上の電子部品に電源電流が不測に流れて損傷される不具合を防止することができる。
すなわち、電源線用雄型プラス端子１２３、１２５、１３３が電源線用雌型プラス端子１７３、１７５、１８３に先に接続されると、電源電流の一部が設計経路とは異なる経路である回路基板上のグランド配線を経る経路で回路基板上に配置された電子部品に不測に流れて損傷する不具合が発生する場合があるが、この実施例においては、このような不具合を未然に防止することができる。
【００４０】
［本体枠の機構装着体について］
図３と図４に示すように、本体枠２０の機構装着体１９０の上部後側には、島設備から供給される多数の球が貯留可能な球タンク１６５、その球タンク１６５の下方に連通するタンクレール１７１とが配設されている。
また、本体枠２０の機構装着体１９０の片側（図に向かって右側）寄りの上下方向にはユニット化された球払出装置２１０が装着されている。
【００４１】
［外部端子基板と分電基板の配置について］
図３と図２１に示すように、機構装着体１９０の後上隅部（ヒンジ寄り側）には、第１基板装着部２２０と第２基板装着部２２５とが段差状をなして形成され、下段の第１基板装着部２２０には外部端子基板２２２が装着され、上段の第２基板装着部２２５には分電基板２２６が分電基板ボックス２２７に覆われた状態で装着されている。
図２０に示すように、遊技盤１４０後側に配置された図柄制御基板ボックス１４６及び主制御基板ボックス１６１の後端部は機構装着体１９０の中央部に開口された窓開口部に向けて突出している。そして、機構装着体１９０の窓開口部の一側壁を構成する側壁部と他側壁を構成する払出装置装着部２００の片側壁との間には、後カバー体２１５がその一側を支点として開閉可能に装着されている。
そして、遊技盤１４０後側の図柄制御基板ボックス１４６全体及び主制御基板ボックス１５１の上部が後カバー体２１５によって覆われるようになっている（図４参照）。
【００４２】
［本体枠側の回路基板と遊技盤側の回路基板の接続について］
図２２のブロック図で示すように、本体枠２０側においては、交流電源ＡＣから供給される交流電力が、分電基板２２６、電源スイッチＳ１を経て電源基板８１に流れ、ここで直流電力に変換されて払出制御基板８６に供給される。
また、払出制御基板８６は、球を払い出す数を記憶するＲＡＭ８６ａを備え、主制御基板１６２から送信される払出用信号に従って球を払い出す制御（球払出装置２１０のモータの作動制御）を行うようになっている。
また、交流電源ＡＣから供給される交流電力は、分電基板２２６においてインタフェース基板２３１にも分配供給される。
インタフェース基板２３１は、球貸機２３５と払出制御基板８６との間に介在され、球貸に関する信号を球貸機２３５と払出制御基板８６との間で送受信可能に電気的に接続するようになっている。
また、払出制御基板８６には、各種検出器からの信号や主制御基板１６２からの信号が伝達される。これに基づいて払出制御基板８６から例えば、大当たり信号、扉開放信号、賞球信号等の信号が外部端子基板２２２に送信され、その外部端子基板２２２の各外部出力端子から前記した大当たり信号、扉開放信号、賞球信号等の信号がホールコンピュータに伝達されるようになっている。
【００４３】
また、遊技盤１４０側に配置された主制御基板１６２は遊技の進行を制御し、副制御基板１６６は周辺機器を制御する。すなわち主制御基板１６２からの遊技に関する信号を受けた副制御基板１６６は、図柄制御基板１５６を介して図柄表示装置１５５に表示を行う。
また、図柄制御基板１５６は、遊技用信号を表示用信号に変換して図柄表示装置１５５に伝達する。図柄表示装置１５５には大当たりの抽選図柄が変動表示可能となっている。
【００４４】
［本体枠の配線構造について］
図１７〜図２０に示すように、遊技盤装着枠１１０に装着された遊技盤１４０の後側周辺部のうちの少なくとも左右両側部と機構装着体１９０の前壁部との間には、第１、第２の配線空間２４１、２５１が左右に分離して設けられている。そして、第１配線空間２４１には電源線２４０が配線され、第２配線空間２５１には各種信号に対応する複数本の信号線２５０が配線されている。
電源線２４０は、本体枠２０の機構装着体１９０の後側上隅部に配置された分電基板２２６と、同本体枠２０の前枠体２１の後側下部に配置された電源基板（この実施例では電源スイッチＳ１）８１とを電気的に接続するものである。
また、信号線２５０は、本体枠２０の機構装着体１９０の後側上隅部に配置された外部端子基板２２２と、同本体枠２０の前枠体２１の後側下部に配置された払出制御基板８６とを電気的に接続するものである。
【００４５】
この実施例おいて、第１配線空間２４１は、分電基板２２６と電源基板（この実施例では電源スイッチＳ１）８１との左右方向の距離寸法に対応する横空間部２４２と、分電基板２２６と電源基板（この実施例では電源スイッチＳ１）８１との上下方向の距離寸法に対応する縦空間部２４５とを備えて略逆Ｌ字状をなしている。
また、第１配線空間２４１の横空間部２４２に対応する機構装着体１９０の前壁部上部には、略Ｌ字状をなして突出しかつ先端部に抜止爪を有する複数の保持片２４３が左右方向に所定間隔をもって配設されている。
また、第１配線空間２４１の縦空間部２４５に対応する機構装着体１９０の前壁部の右側上部から下部において、略コの字状をなして突出する複数の保持片２４５が上下方向に所定間隔をもって突設されている。
【００４６】
また、この実施例において、図１８に示すように、横空間部２４２に対応する位置に配置された複数の保持片２４３は、向きを交互に上下逆向きに形成され、これによって、複数の保持片２４３に対し電源線２４０の挿入向きを上方と下方とに交互に換えて掛け渡すことによってその電源線２４０の挿通作業が容易に行なうことができるとともに、複数の保持片２４３に掛け渡された電源線２４０の上下方向への移動が規制され、電源線２４０の外れが防止されるようになっている。
【００４７】
第２配線空間２５１は、外部端子基板２２２と払出制御基板８６との上下方向の距離寸法に対応して機構装着体１９０の左側の上部から下部にわたって形成されている。
また、第２配線空間２５１に対応する機構装着体１９０の前壁部左前には、略Ｌ字状をなして突出しかつ先端部に抜止爪を有する複数の保持片２４６が適宜姿勢でかつ上下方向に所定間隔をもって配設されている。
【００４８】
［この実施例に係る遊技機の作用効果について］
上述したように構成されるこの実施例に係る遊技機において、遊技盤装着枠１１０に装着された遊技盤１４０の後側と機構装着体１９０の前壁部との間に形成された第１配線空間２４１には電源線２４０が配線され、第２配線空間２５１には信号線２５０が配線される。これによって、電源線２４０と信号線２５０とを左右に分離して配線することができ、ノイズの発生を防止することができる。
しかも、第１、第２の配線空間２４１、２５１に電源線２４０と信号線２５０とが配線されることで、電源線２４０及び信号線２５０が遊技機の後側に露出する部分を、第１、第２の配線空間２４１、２５１に相当する分だけ短くすることができ、電源線２４０や信号線２５０に異物が引っ掛かる不具合を防止することができる。
【００４９】
また、この実施例において、電源線２４０は、その一端（上端）が機構装着体１９０の後側上隅部の分電基板２２６に接続される。この電源線２４０は、機構装着体１９０の上隅部に設けられた挿通孔を通して機構装着体１９０の前側に引き出された後、まず、第１配線空間２４１の横空間部２４２において、複数の保持片２４３に順次に挿入されかつその挿入向きを上方と下方とに交互に換えて掛け渡されて係止される。
引き続いて電源線２４０は、第１配線空間２４１の縦空間部２４５において、機構装着体１９０の前壁部の右側部に設けられた複数の保持片２４５に順次に挿入されて係止される。そして、電源線２４０の他端部は、前枠体２１の下部右側に配置された電源スイッチＳ１に接続される。この電源スイッチＳ１は、図示しない接続線によって電源基板８１に接続されている。したがって、電源線２４０の他端部が電源スイッチＳ１に接続されることで、分電基板２２６と電源基板８１とが電源線２４０によって電気的に接続される。
また、前記とは上下逆に、電源スイッチＳ１側から分電基板２２６に向けて電源線２４０を配線することもできる。
【００５０】
複数の信号線２５０は、その各一端部（下端部）が前枠体２１の後側下部に配置された払出制御基板８６に接続される。これら複数の信号線２５０は、前枠体２１の下部左側に貫設された挿通孔を通して機構装着体１９０の前側に引き出された後、第２配線空間２５１において、複数の保持片２４６に順次に挿入されて係止される。
複数の信号線２５０の上端部は機構装着体１９０の上左隅部に貫設された挿通孔に挿通されて機構装着体１９０の後側に引き出された後、機構装着体１９０の後側上隅部に配置された外部端子基板２２２に接続され、払出制御基板８６と外部端子基板２２２とが電気的に接続される。
また、前記とは上下逆に、外部端子基板２２２側から払出制御基板８６に向けて複数の信号線２５０を配線することもできる。
【００５１】
前記したように、機構装着体１９０の前壁部に一体に形成された複数の保持片２４３、２４５、２４６によって電源線２４０と信号線２５０とを第１、第２の配線空間２４１、２５１内にそれぞれ配線保持することができる。
これによって、遊技盤装着枠１１０に対し遊技盤１４０を着脱する際に、遊技盤１４０の後側に突出して配置された装備品、例えば、役物装置１５０の役物本体１５１、図柄表示装置（図柄基板ボックス１５７）１５５、主制御基板ボックス１６１、副制御基板ボックス１６５等が電源線２４０や信号線２５０に引っ掛かる不具合を防止することができる。
【００５２】
［この発明の他の実施例について］
なお、この発明は前記実施例に限定するものではない。
例えば、前記実施例においては、前枠体２１、遊技盤装着枠１１０及び機構装着体１９０が合成樹脂材によって一体成形されることで本体枠２０が構成される場合を例示したが、前枠体２１、遊技盤装着枠１１０及び機構装着体１９０がそれぞれ別個に形成され、これら各部材が相互に組み付けられる構造であってもこの発明を実施することができる。
【図面の簡単な説明】
【００５３】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠に各種部材が組み付けられた状態を斜め左下方から示す斜視図である。
【図５】同じく遊技機の本体枠と遊技盤とを分離して示す斜視図である。
【図６】同じく本体枠の下部左側に形成されたスピーカボックスとスピーカとを分離して示す斜視図である。
【図７】同じく本体枠のスピーカボックスを後側から示す斜視図である。
【図８】同じく本体枠のスピーカボックスを後側から示す背面図である。
【図９】同じく図８のＩＸ−ＩＸ線に基づくスピーカボックスの平断面図である。
【図１０】同じくスピーカボックスの後壁の配線孔と端末コネクタを拡大して示す平断面図である。
【図１１】同じく図８のＸＩ−ＸＩ線に基づくスピーカボックスの平断面図である。
【図１２】同じくスピーカ側接続線の端末コネクタと電源線の端末コネクタとを分離して示す斜視図である。
【図１３】同じく本体枠の遊技盤装着枠に遊技盤が嵌込まれた状態を部分的に示す平断面図である。
【図１４】同じく遊技盤装着枠に遊技盤が嵌込まれたときに本体枠側コネクタと遊技盤側コネクタとが接続された状態を拡大して示す平断面図である。
【図１５】同じく遊技盤装着枠に遊技盤が嵌込まれる前の本体枠側コネクタと遊技盤側コネクタとの非接続状態を拡大して示す平断面図である。
【図１６】同じく本体枠側コネクタと遊技盤側コネクタとを分離して示す斜視図である。
【図１７】同じく本体枠の機構装着体の前側に設けられた第１、第２配線空間に電源線と信号線とが分離して配線された状態を示す本体枠の正面図である。
【図１８】同じく本体枠の機構装着体の前側に設けられた第１配線空間に電源線が配線された状態を斜め左下から示す本体枠の斜視図である。
【図１９】同じく本体枠の機構装着体の前側に設けられた第２配線空間に信号線が配線された状態を斜め右下から示す本体枠の斜視図である。
【図２０】同じく図１７のＸＸ−ＸＸ線に基づく本体枠の機構装着体の側断面図である。
【図２１】同じく図１７のＸＸＩ−ＸＸＩ線に基づく本体枠の機構装着体の側断面図である。
【図２２】同じく本体枠側の各種回路基板と遊技盤側の各種回路基板とが本体枠側コネクタと遊技盤側コネクタによって接続された状態を示すブロック図である。
【符号の説明】
【００５４】
１０  外枠
２０  本体枠
２１  前枠体
８１  電源基板
８６  払出制御基板
１１０  遊技盤装着枠
１９０  機構装着体
２２２  外部端子基板
２２６  分電基板
２４０  電源線
２５０  信号線
【図１】
2005296628.tif 000003
【図２】
2005296628.tif 000004
【図３】
2005296628.tif 000005
【図４】
2005296628.tif 000006
【図５】
2005296628.tif 000007
【図６】
2005296628.tif 000008
【図７】
2005296628.tif 000009
【図８】
2005296628.tif 000010
【図９】
2005296628.tif 000011
【図１０】
2005296628.tif 000012
【図１１】
2005296628.tif 000013
【図１２】
2005296628.tif 000014
【図１３】
2005296628.tif 000015
【図１４】
2005296628.tif 000016
【図１５】
2005296628.tif 000017
【図１６】
2005296628.tif 000018
【図１７】
2005296628.tif 000019
【図１８】
2005296628.tif 000020
【図１９】
2005296628.tif 000021
【図２０】
2005296628.tif 000022
【図２１】
2005296628.tif 000023
【図２２】
2005296628.tif 000024